(57)【特許請求の範囲】
【請求項１】
アクセス元からの要求に応じてウェブページを取得する手段と、
文書リンク変換ルールに基づいて前記ウェブページ内の文書リンクを変換する手段と、
前記アクセス元に、前記変換したウェブページを提供する手段と、
前記アクセス元において前記変換したウェブページから選択された文書リンクの情報を取得する手段と、
前記取得した文書リンクの情報に基づいて、該文書リンクの文書データであって、複数のページを有する文書データの閲覧用画像データを生成する手段と、
前記閲覧用画像データを前記アクセス元に提供する手段と、
前記アクセス元において前記閲覧用画像データを表示させるための文書閲覧用アプリケーションを前記アクセス元に提供する手段と、
を備え、
前記閲覧用画像データを生成する手段は、文書データのページ毎に閲覧用画像データを生成し、
前記閲覧用画像データを前記アクセス元に提供する手段は、文書データのページ毎に前記閲覧用画像データを提供し、
前記文書閲覧用アプリケーションは、閲覧終了後に前記閲覧用画像データを再表示不可能に消去することを特徴とする文書リンク変換サーバ。
【請求項２】
前記選択された文書リンクの情報を取得すると、前記閲覧用画像データを生成する手段は前記選択された文書リンクの文書データの１ページ目の閲覧用画像データを生成し、前記閲覧用画像データを前記アクセス元に提供する手段は前記１ページ目の閲覧用画像データを提供することを特徴とする請求項１に記載の文書リンク変換サーバ。
【請求項３】
前記アクセス元からの前記閲覧用画像データのページ遷移の要求を取得する手段を備え、
前記ページ遷移の要求を取得すると、前記閲覧用画像データを生成する手段は前記要求されたページの閲覧用画像データを生成し、前記閲覧用画像データを前記アクセス元に提供する手段は前記要求されたページの閲覧用画像データを提供することを特徴とする請求項１又は２に記載の文書リンク変換サーバ。
【請求項４】
前記生成した閲覧用画像データを記録する手段を備えたことを特徴とする請求項１から３のいずれかに記載の文書リンク変換サーバ。
【請求項５】
端末種別に応じた文書リンク変換ルールを管理する管理手段と、
前記アクセス元の端末種別を認識する手段と、
前記認識した端末種別に応じて前記管理手段から文書リンク変換ルールを取得する手段と、
を備えたことを特徴とする請求項１から４のいずれかに記載の文書リンク変換サーバ。
【請求項６】
前記認識した端末種別毎に前記閲覧用画像データを記録する手段を備えたことを特徴とする請求項５に記載の文書リンク変換サーバ。
【請求項７】
前記文書閲覧用アプリケーションを前記アクセス元に提供する手段は、前記認識した端末種別に応じた文書閲覧用アプリケーションを提供することを特徴とする請求項５又は６に記載の文書リンク変換サーバ。
【請求項８】
ウェブページの閲覧を要求する手段と、
前記要求したウェブページのデータを取得する手段と、
前記データに基づいてウェブページを表示手段に表示する手段と、
前記表示したウェブページに存在するリンク情報から文書リンクを選択する手段と、
前記選択した文書リンクに該当する文書の閲覧用画像データを取得する手段と、
文書閲覧用アプリケーションを取得する手段と、
前記文書閲覧用アプリケーションを用いて前記取得した閲覧用画像データを前記表示手段に表示する手段と、
を備えた携帯端末と、
前記要求されたウェブページを取得する手段と、
端末種別に応じた文書リンク変換ルールを管理する管理手段と、
前記携帯端末の端末種別を認識する手段と、
前記認識した端末種別に応じて前記管理手段から文書リンク変換ルールを取得する手段と、
前記取得した文書リンク変換ルールにしたがって前記ウェブページ内の文書リンクを変換する手段と、
前記変換したウェブページを前記携帯端末に送信する手段と、
前記携帯端末において前記変換したウェブページから選択された文書リンクの情報を取得する手段と、
前記取得した文書リンクの情報にしたがって、該文書リンクの文書データであって、複数のページを有する文書データの閲覧用画像データを生成する手段と、
前記生成した閲覧用画像データを前記携帯端末に提供する手段と、
前記文書閲覧用アプリケーションを前記携帯端末に提供する手段と、
を備え、
前記閲覧用画像データを生成する手段は、文書データのページ毎に閲覧用画像データを生成し、
前記閲覧用画像データを前記携帯端末に提供する手段は、文書データのページ毎に前記閲覧用画像データを提供するサーバと、
から構成され、
前記文書閲覧用アプリケーションは、閲覧終了後に前記閲覧用画像データを再表示不可能に消去することを特徴とする文書リンク変換システム。
【請求項９】
アクセス元からの要求に応じてウェブページを取得する工程と、
文書リンク変換ルールに基づいて前記ウェブページ内の文書リンクを変換する工程と、
前記アクセス元に、前記変換したウェブページを提供する工程と、
前記アクセス元において前記変換したウェブページから選択された文書リンクの情報を取得する工程と、
前記取得した文書リンクの情報に基づいて、該文書リンクの文書データであって、複数のページを有する文書データの閲覧用画像データを生成する工程と、
前記閲覧用画像データを前記アクセス元に提供する工程と、
前記アクセス元において前記閲覧用画像データを表示させるための文書閲覧用アプリケーションを前記アクセス元に提供する工程と、
を備え、
前記閲覧用画像データを生成する工程は、文書データのページ毎に閲覧用画像データを生成し、
前記閲覧用画像データを前記アクセス元に提供する工程は、文書データのページ毎に前記閲覧用画像データを提供し、
前記文書閲覧用アプリケーションは、閲覧終了後に前記閲覧用画像データを再表示不可能に消去することを特徴とする文書リンク変換方法。
【発明の詳細な説明】
【技術分野】
【０００１】
本発明は文書リンク変換サーバ、文書リンク変換システム及び文書リンク変換方法に係り、特に、ＨＴＭＬ等のコンテンツファイルからリンクされた文書ファイルを閲覧させるための文書リンク変換サーバ、文書リンク変換システム及び文書リンク変換方法に関する。
【背景技術】
【０００２】
携帯電話からＨＴＭＬ文書を閲覧する際に、ＨＴＭＬ文書を携帯電話に最適化する技術が知られている。
【０００３】
例えば、特許文献１には、分割した文書データの各ページに他のページへのリンクを示すリンク情報を付加すると共に、他のページの見出し、他のページにおける先頭の語句、あるいは他のページを代表する語句を付与する技術が記載されている。特許文献１の技術によれば、文書データが分割されている場合であっても、ユーザが文書データの閲覧を容易にすることが可能となる。
【先行技術文献】
【特許文献】
【０００４】
【特許文献１】特開２００２−３５１７３６号公報
【発明の概要】
【発明が解決しようとする課題】
【０００５】
ＨＴＭＬ文書内に、ｗｏｒｄファイルやｐｄｆファイル等の文書リンクを設定することにより、ブラウザ上から直接これらの文書を閲覧、編集することが一般的になっている。しかし、これらの文書を閲覧、編集するために必要なソフトウェアがインストールされていない、もしくはインストールすることができない携帯電話では、ＨＴＭＬ文書内の文書リンクから、これらのファイルを閲覧することはできない。特許文献１に記載の技術においても、ＨＴＭＬ文書内の文書リンクからｗｏｒｄファイルやｐｄｆファイルを閲覧することはできない。
【０００６】
本発明はこのような事情に鑑みてなされたもので、文書ファイルを開くために必要なソフトウェアがインストールされていない携帯電話に対して、ＨＴＭＬ文書からリンクされた文書を閲覧させるための文書リンク変換サーバ、文書リンク変換システム及び文書リンク変換方法を提供することを目的とする。
【課題を解決するための手段】
【０００７】
前記目的を達成するために請求項１に記載の文書リンク変換サーバは、アクセス元からの要求に応じてウェブページを取得する手段と、文書リンク変換ルールに基づいて前記ウェブページ内の文書リンクを変換する手段と、前記アクセス元に、前記変換したウェブページを提供する手段と、前記アクセス元において前記変換したウェブページから選択された文書リンクの情報を取得する手段と、前記取得した文書リンクの情報に基づいて、該文書リンクの文書データであって、複数のページを有する文書データの閲覧用画像データを生成する手段と、前記閲覧用画像データを前記アクセス元に提供する手段と、前記アクセス元において前記閲覧用画像データを表示させるための文書閲覧用アプリケーションを前記アクセス元に提供する手段とを備え、前記閲覧用画像データを生成する手段は、文書データのページ毎に閲覧用画像データを生成し、前記閲覧用画像データを前記アクセス元に提供する手段は、文書データのページ毎に前記閲覧用画像データを提供し、前記文書閲覧用アプリケーションは、閲覧終了後に前記閲覧用画像データを再表示不可能に消去することを特徴とする。
請求項２に示すように請求項１に記載の文書リンク変換サーバにおいて、前記選択された文書リンクの情報を取得すると、前記閲覧用画像データを生成する手段は前記選択された文書リンクの文書データの１ページ目の閲覧用画像データを生成し、前記閲覧用画像データを前記アクセス元に提供する手段は前記１ページ目の閲覧用画像データを提供することを特徴とする。
請求項３に示すように請求項１又は２に記載の文書リンク変換サーバにおいて、前記アクセス元からの前記閲覧用画像データのページ遷移の要求を取得する手段を備え、前記ページ遷移の要求を取得すると、前記閲覧用画像データを生成する手段は前記要求されたページの閲覧用画像データを生成し、前記閲覧用画像データを前記アクセス元に提供する手段は前記要求されたページの閲覧用画像データを提供することを特徴とする。
請求項４に示すように請求項１から３のいずれかに記載の文書リンク変換サーバにおいて、前記生成した閲覧用画像データを記録する手段を備えたことを特徴とする。これにより、一度生成した閲覧用画像データを再利用することができる。
【０００８】
請求項１に記載の発明によれば、アクセス元からの要求に応じて取得したウェブページの文書リンクを変換してからアクセス元に提供し、アクセス元において文書リンクが選択されると、選択された文書データの閲覧用画像データを生成して提供するようにしたので、文書ファイルを開くために必要なソフトウェアがインストールされていない端末を用いて文書を閲覧させることができる。また、必要なページについてだけ閲覧用画像データを送受信することができ、通信負荷を減らすことができる。また、適切に閲覧用画像データを表示することができ、閲覧画像データについてのセキュリティを確保することができ、携帯端末は適切に文書閲覧用アプリケーションを取得することができる。
【０００９】
請求項５に示すように請求項１から４のいずれかに記載の文書リンク変換サーバにおいて、端末種別に応じた文書リンク変換ルールを管理する管理手段と、前記アクセス元の端末種別を認識する手段と、前記認識した端末種別に応じて前記管理手段から文書リンク変換ルールを取得する手段とを備えたことを特徴とする。
【００１０】
これにより、アクセス元の端末種別に応じてウェブページ内の文書リンクを変換することができる。
【００１３】
請求項６に示すように請求項５に記載の文書リンク変換サーバにおいて、前記認識した端末種別毎に前記閲覧用画像データを記録する手段を備えたことを特徴とする。
【００１４】
これにより、一度生成した閲覧用画像データを再利用する場合に、データの読み出しが容易になる。
【００１５】
請求項７に示すように請求項５又は６に記載の文書リンク変換サーバにおいて、前記文書閲覧用アプリケーションを前記アクセス元に提供する手段は、前記認識した端末種別に応じた文書閲覧用アプリケーションを提供することを特徴とする。
【００１７】
前記目的を達成するために請求項８に記載の文書リンク変換システムは、ウェブページの閲覧を要求する手段と、前記要求したウェブページのデータを取得する手段と、前記データに基づいてウェブページを表示手段に表示する手段と、前記表示したウェブページに存在するリンク情報から文書リンクを選択する手段と、前記選択した文書リンクに該当する文書の閲覧用画像データを取得する手段と、文書閲覧用アプリケーションを取得する手段と、前記文書閲覧用アプリケーションを用いて前記取得した閲覧用画像データを前記表示手段に表示する手段とを備えた携帯端末と、前記要求されたウェブページを取得する手段と、端末種別に応じた文書リンク変換ルールを管理する管理手段と、前記携帯端末の端末種別を認識する手段と、前記認識した端末種別に応じて前記管理手段から文書リンク変換ルールを取得する手段と、前記取得した文書リンク変換ルールにしたがって前記ウェブページ内の文書リンクを変換する手段と、前記変換したウェブページを前記携帯端末に送信する手段と、前記携帯端末において前記変換したウェブページから選択された文書リンクの情報を取得する手段と、前記取得した文書リンクの情報にしたがって、該文書リンクの文書データであって、複数のページを有する文書データの閲覧用画像データを生成する手段と、前記生成した閲覧用画像データを前記携帯端末に提供する手段と、前記文書閲覧用アプリケーションを前記携帯端末に提供する手段とを備え、前記閲覧用画像データを生成する手段は、文書データのページ毎に閲覧用画像データを生成し、前記閲覧用画像データを前記携帯端末に提供する手段は、文書データのページ毎に前記閲覧用画像データを提供するサーバと、から構成され、前記文書閲覧用アプリケーションは、閲覧終了後に前記閲覧用画像データを再表示不可能に消去することを特徴とする。
【００１８】
請求項８に記載の発明によれば、携帯端末からの要求に応じて取得したウェブページの文書リンクを変換してからアクセス元に提供し、携帯端末において文書リンクが選択されると、選択された文書データの閲覧用画像データを生成して携帯端末に提供するようにしたので、文書ファイルを開くために必要なソフトウェアがインストールされていない携帯端末を用いて文書を閲覧させることができる。また、必要なページについてだけ閲覧用画像データを送受信することができ、通信負荷を減らすことができる。また、適切に閲覧用画像データを表示することができ、閲覧画像データについてのセキュリティを確保することができ、携帯端末は適切に文書閲覧用アプリケーションを取得することができる。
【００２５】
前記目的を達成するために請求項９に記載の文書リンク変換方法は、アクセス元からの要求に応じてウェブページを取得する工程と、文書リンク変換ルールに基づいて前記ウェブページ内の文書リンクを変換する工程と、前記アクセス元に、前記変換したウェブページを提供する工程と、前記アクセス元において前記変換したウェブページから選択された文書リンクの情報を取得する工程と、前記取得した文書リンクの情報に基づいて、該文書リンクの文書データであって、複数のページを有する文書データの閲覧用画像データを生成する工程と、前記閲覧用画像データを前記アクセス元に提供する工程と、前記アクセス元において前記閲覧用画像データを表示させるための文書閲覧用アプリケーションを前記アクセス元に提供する工程とを備え、前記閲覧用画像データを生成する工程は、文書データのページ毎に閲覧用画像データを生成し、前記閲覧用画像データを前記アクセス元に提供する工程は、文書データのページ毎に前記閲覧用画像データを提供し、前記文書閲覧用アプリケーションは、閲覧終了後に前記閲覧用画像データを再表示不可能に消去することを特徴とする。
【発明の効果】
【００２６】
本発明によれば、文書ファイルを開くために必要なソフトウェアがインストールされていない携帯電話に対して、ＨＴＭＬ文書からリンクされた文書を閲覧させることができる。
【図面の簡単な説明】
【００２７】
【図１】文書リンク変換システム１００の全体構成の一例を示す図
【図２】文書リンク変換システム１００の処理について示すフローチャート
【図３】変換前の文書リンクと変換後の文書リンクを示す図
【図４】ドキュメント変換サーバ２４のデータベース構成について示す図
【図５】文書リンク変換システム１００の処理について示すフローチャート
【発明を実施するための形態】
【００２８】
以下、添付図面に従って本発明を実施するための形態について説明する。
【００２９】
＜第１の実施形態＞
図１（ａ）は、本実施形態における文書リンク変換システム１００の全体構成の一例を示す図であり、図１（ｂ）は、図１（ａ）中に示した各番号に該当する処理内容を示す表である。
【００３０】
図１（ａ）に示すように、文書リンク変換システム１００は、ユーザが使用する携帯電話１０、イントラネット２０内に設置された社内Ｗｅｂシステム２１、文書管理ストレージ２２、中継サーバ２３、ドキュメント変換サーバ２４、閲覧用画像管理ストレージ２５から構成される文書リンク変換サーバ１１０、インターネット３０上に存在するＷｅｂシステム３１、文書管理ストレージ３２等から構成される。
【００３１】
携帯電話１０と文書リンク変換サーバ１１０とは、ネットワークを介して所定のプロトコルにしたがって通信可能に接続されている。このネットワークは、インターネットの他、専用通信回線やＶＰＮを用いてもよい。文書リンク変換サーバ１１０は、ユーザの携帯電話１０から要求されたＷｅｂページについて、文書リンクを変換してから携帯電話１０に送信する。
【００３２】
携帯電話１０は、図示しない通信部や表示部を備え、通常の携帯電話に必要な機能（例えば、音声通話に必要な機能、電子メール等の送受信に必要な機能、Ｗｅｂサイトの閲覧に必要な機能）を備えている。
【００３３】
イントラネット２０は、社内の独立したネットワークであり、社内Ｗｅｂシステム２１、中継サーバ２３、ドキュメント変換サーバ２４との間で通信可能に接続されている。
【００３４】
社内Ｗｅｂシステム２１は、イントラネット２０を統括管理し、クライアントからの要求に応じた各種サービスを行う。また、文書リンクが張られた社内で閲覧可能なＷｅｂサイト（ＨＴＭＬ文書等）を保持している。
【００３５】
文書管理ストレージ２２は、ｗｏｒｄファイルやｐｄｆファイルを含む多数の社内文書が記録されたハードディスク装置などの大容量記憶装置である。文書管理ストレージ２２には、社内Ｗｅｂシステム２１が保持しているＨＴＭＬ文書等の文書リンクの文書ファイルが記録されており、社内Ｗｅｂシステム２１からアクセス可能に構成されている。
【００３６】
中継サーバ２３は、携帯電話１０と社内Ｗｅｂシステム２１との通信を中継するサーバであり、通信相手の携帯電話１０の機種判定を行うと共に、携帯電話１０から要求されたＷｅｂページの変換処理を行う。この変換処理の詳細については、後述する。
【００３７】
また、中継サーバ２３は、携帯電話１０とインターネット３０を介した社外のＷｅｂシステム３１との通信を中継する。Ｗｅｂシステム３１は、インターネットを介してＷｅｂ上でサービスを提供するシステムであり、中継サーバ２３は、Ｗｅｂシステム３１を介して文書管理ストレージ３２から文書ファイルを取得することも可能である。
【００３８】
ドキュメント変換サーバ２４は、携帯電話１０から要求された文書ファイルに基づいて閲覧用画像の生成を行う。この閲覧用画像の生成の詳細についても、後述する。
【００３９】
閲覧用画像管理ストレージ２５は、ドキュメント変換サーバ２４において生成された閲覧用画像を記録するための大容量記憶装置であり、文書管理ストレージ２２の大容量記憶装置と共用してもよい。
【００４０】
なお、図１（ａ）においては、携帯電話１０は１つだけ記載されているが、文書リンク変換システム１００と通信可能な携帯電話１０は多数存在し、それぞれ個別に中継サーバ２３を介して通信が可能である。また、社外のＷｅｂシステム３１もインターネット３０中に多数存在する。
【００４１】
次に、このように構成された文書リンク変換システム１００の動作について、図２を用いて説明する。
【００４２】
ユーザは、携帯電話１０の図示しない操作部を用いて、閲覧したいＷｅｂページを指定する。携帯電話１０の図示しない通信部は、文書リンク変換サーバ１１０の中継サーバ２３に対して、指定されたＷｅｂページのアクセス要求を行うとともに、携帯電話１０の機種情報を送信する（ステップＳ１１）。
【００４３】
中継サーバ２３は、この送信されたＷｅｂページのアクセス要求と機種情報を取得し（ステップＳ２１）、取得した機種情報に基づいて、携帯電話１０のアクセス権限を判別する。携帯電話１０が管理者機能にて登録した携帯電話である場合には、図示しない機種管理データベースを照合し、取得した機種情報に応じたＷｅｂページの変換ルールを取得する（ステップＳ２２）。携帯電話の機種によって、閲覧不可能な文書ファイルが異なり、また後述する最適な文書閲覧アプリケーションが異なるからである。
【００４４】
次に、中継サーバ２３は、取得したＷｅｂページのアクセス要求に基づいて、当該ＷｅｂページのＨＴＭＬ文書を取得する。該当するＷｅｂページが、イントラネット２０の社内Ｗｅｂシステム２１に存在する場合には当該社内Ｗｅｂシステム２１から、インターネット３０の外部のＷｅｂシステム３１に存在する場合には、該当するＷｅｂシステム３１から取得する。
【００４５】
さらに、中継サーバ２３は、ステップＳ２２で取得した機種情報に応じたＷｅｂページの変換ルールに基づいて、アクセス要求されたＷｅｂページのＨＴＭＬ文書を変換する（ステップＳ２３）。即ち、アクセス要求されたＷｅｂページのＨＴＭＬ文書に記載された構文を解析し、当該機種において閲覧不可能な文書ファイルへのリンクが記載されている場合には、該当するリンクの箇所に文書取得情報を埋め込む。
【００４６】
図３は、変換前のＨＴＭＬ文書に記載された文書リンクと、変換後のＨＴＭＬ文書に記載された文書リンクを示す図である。同図に示すように、ＵＲＬがhttp://aaa.jpのページの変換前のＨＴＭＬ文書には、「報告書１」という表示に対して「houkoku1.doc」という文書ファイルへのリンクが設定されている。この「houkoku1.doc」という文書ファイルはｗｏｒｄファイルであり、ユーザの携帯電話１０の機種では閲覧ができない文書ファイルである。
【００４７】
ここで、中継サーバ２３は、このリンク先のファイル「houkoku1.doc」の箇所に、「app1」というＩＤのアプリケーションを起動するためのタグを埋め込む。このアプリケーション「app1」は、事前にobjectコマンドで定義されているものであり、「報告書１」の表示が選択された場合に携帯電話１０にダウンロードされ、起動するように設定されている。また、アプリケーション「app1」は、起動後にはhoukoku1.docに対応する閲覧用データを取得し、携帯電話１０の表示部に表示を行う。
【００４８】
中継サーバ２３は、要求されたＷｅｂページに対応するデータとして、この変換されたＨＴＭＬ文書を携帯電話１０に送信する（ステップＳ２４）。
【００４９】
携帯電話１０は、この変換されたＨＴＭＬ文書を受信し、図示しない表示部にブラウザを用いて表示する。このように、ユーザは、要求されたＷｅｂページ（ＨＴＭＬ文書）の閲覧を行うことができる（ステップＳ１２）。
【００５０】
この状態において、表示されたＷｅｂページにリンクが張られている文書ファイルを選択することが可能である。ユーザは、携帯電話１０の図示しない操作部を用いて、所望の文書ファイルを選択する（ステップＳ１３）。
【００５１】
文書ファイルへのリンクが選択されると、携帯電話１０は、該当する文書リンクに埋め込まれている文書取得情報（図３に示すdata情報）を送信する。文書リンク変換サーバ１１０のドキュメント変換サーバ２４は、この文書取得情報を取得する（ステップＳ２５）。文書取得情報には、取得すべき文書ファイルと文書閲覧アプリケーションについての情報が記載されている。
【００５２】
ドキュメント変換サーバ２４は、文書閲覧アプリケーションを取得し、文書閲覧アプリケーションにステップＳ２５において取得した文書取得情報を付加する（ステップＳ２６）。さらに、この文書閲覧アプリケーションを携帯電話１０に送信する（ステップＳ２７）。
【００５３】
図４は、ドキュメント変換サーバ２４のデータベース構成について示す図である。同図に示すように、携帯電話の機種情報に関連付けられて、文書閲覧アプリケーションのダウンロード元、及び後述する閲覧用データ（閲覧用画像）の管理場所が記録されている。ドキュメント変換サーバ２４は、このデータベースの文書閲覧アプリケーションのダウンロード元の情報に基づいて、文書閲覧アプリケーションを取得する。
【００５４】
携帯電話１０は、この文書閲覧アプリケーションを受信し（ステップＳ１４）、受信後すぐに起動する（ステップＳ１５）。さらに、起動された文書閲覧アプリケーションから、アプリケーションに付加された文書取得情報をサーバに送信し、文書データを要求する（ステップＳ１６）。
【００５５】
この文書情報を取得したドキュメント変換サーバ２４は、該当する文書データを取得する（ステップＳ２８）。該当する文書データが、イントラネット２０のストレージ２２に記録されている場合は社内Ｗｅｂシステムを介してストレージ２２から取得し、インターネット３０の外部のストレージ３２に記録されている場合には、そのストレージ３２を管理しているＷｅｂシステムを介してストレージ３２から取得する。
【００５６】
この取得した文書データから、ドキュメント変換サーバ２４は、この文書の１ページ目の閲覧用画像を生成する（ステップＳ２９）。閲覧用画像は、携帯電話１０の表示部に表示可能なように、機種に応じてＪＰＧ形式やＢＭＰ形式で生成される。また、ドキュメント変換サーバ２４は、この閲覧用画像をストレージ２５に記録する。このとき、図４に示すデータベースの閲覧用画像の管理場所に基づいて、閲覧用画像を記録する。
【００５７】
なお、このように機種に応じた管理場所に閲覧用画像を記録するため、同機種の携帯電話から同じ文書の閲覧要求があった場合には、閲覧用画像の生成を行わずに、この管理場所に記録されている閲覧用画像を取得してもよい。
【００５８】
最後に、この１ページ目の閲覧用画像を携帯電話１０へ送信する（ステップＳ３０）。
【００５９】
この閲覧用画像を受信した携帯電話１０は、文書閲覧アプリケーションを用いてこの閲覧用画像を図示しない表示部に表示する（ステップＳ１７）。携帯電話１０は、ｗｏｒｄファイルやｐｄｆファイルの文書の表示はできないが、表示可能な形式の閲覧用画像が送られてくるため、文書閲覧アプリケーションにより表示部に表示することが可能である。
【００６０】
その後、該当文書のページ遷移を行う操作が行われた場合には、携帯電話１０は、該当するページの画像を再び要求する。この場合は、既に携帯電話１０には文書閲覧アプリケーションがダウンロードされているため、ドキュメント変換サーバ２４は、要求されたページについての閲覧用画像だけを送信すればよい。
【００６１】
このように、必要なページについてだけ閲覧用画像データを送受信することにより、不要なページの閲覧用画像データを通信する必要がなく、文書リンク変換サーバ１１０の負荷を軽減することができる。なお、ドキュメント変換サーバ２４は、必要であれば、文書ファイルの全ページ分の閲覧用画像データをまとめて携帯電話１０に送信してもよい。
【００６２】
文書閲覧アプリケーションは、閲覧用画像データをページ単位で管理、閲覧可能に構成されており、ユーザは、ＰＣで文書ファイルを閲覧するのと同様に、閲覧用画像データをページ毎に、ページ順に閲覧することが可能である。
【００６３】
さらに、この文書閲覧アプリケーションは、閲覧した画像を携帯電話１０内に保存させない機能を備えており、閲覧画像についてのセキュリティを確保している。即ち、表示用のメモリに記憶された閲覧画像は、閲覧（表示）を終了すると共に消去され、携帯電話１０内に残ることがない。なお、インターネット３０の外部のストレージ３２から取得した文書データは、社内のストレージ２２から取得した文書とは異なり、セキュリティについての問題は考える必要が無いため、メモリから消去しなくてもよい。
【００６４】
このように、ＨＴＭＬ文書内に、携帯電話から閲覧できないｗｏｒｄファイルやｐｄｆファイルのリンクが存在する場合であっても、サーバにおいてリンク先を変更し、文書リンクが選択された場合には文書ファイルを画像に変換して携帯電話に送信することで、携帯電話においてこれらのファイルと同様の内容を閲覧することが可能となる。
【００６５】
なお、本実施形態では、要求されたＷｅｂページがＨＴＭＬ文書である場合について説明したが、ＸＭＬ、ＳＭＬ等のコンテンツファイルであっても本発明を適用することが可能である。
【００６６】
また、本実施形態では、要求された文書について、ページごとに閲覧用画像を生成して送信したが、文書が選択された際に全ページについて閲覧用画像を生成し、全ての閲覧用画像を送信してもよい。この場合においても、閲覧を終了した後は携帯電話１０内には閲覧用画像は残さない。
【００６７】
さらに、本実施形態では、Ｗｅｂページの変換ルールは機種情報に応じて存在しているが、機種によらずに一定の変換ルールを用いてもよい。この場合は、文書データへのリンクは、文書データの所在情報を付帯してドキュメント変換サーバ２４へリンクさせるように変換する。文書リンクが選択された場合には、ドキュメント変換サーバ２４において携帯電話１０の機種を判別し、判別した機種情報に対応した文書閲覧アプリケーションを携帯電話１０に送信すればよい。
【００６８】
＜第２の実施形態＞
次に、第２の実施形態の文書リンク変換システム１００の動作について、図５を用いて説明する。なお、図２のフローチャートと共通する部分には同一の符号を付し、その詳細な説明は省略する。第２の実施形態では、携帯電話１０は、文書閲覧アプリケーションを用いずに、文書データに対応するｈｔｍｌ文書等の文書閲覧ＶＩＥＷを図示しない表示部に表示する。
【００６９】
携帯電話１０による文書リンクの選択に応じて、ドキュメント変換サーバ２４が選択された文書ファイルの閲覧用画像を生成するまでは、第１の実施形態と同様である（ステップＳ２１〜Ｓ２９）。
【００７０】
第２の実施形態の文書リンク変換システム１００は、その後、文書閲覧ＶＩＥＷを生成し（ステップＳ５１）、携帯電話１０へ送信する（ステップＳ５２）。
【００７１】
携帯電話１０は、この文書閲覧ＶＩＥＷを受信し、図示しない表示部に受信した文書閲覧ＶＩＥＷを表示する（ステップＳ４２）。ユーザは、この文書閲覧ＶＩＥＷを閲覧することにより、指定したｗｏｒｄファイルやｐｄｆファイルと同様の内容を閲覧することができる。
【００７２】
その後、ユーザによって該当文書のページ遷移を行う操作が行われた場合には、携帯電話１０は、遷移先のページの文書閲覧ＶＩＥＷを要求する。ドキュメント変換サーバ２４は、要求されたページについての文書閲覧ＶＩＥＷを生成し、送信する（ステップＳ５３）。
【００７３】
このように構成することで、文書閲覧アプリケーションを用いない場合であっても、ユーザは、文書閲覧ＶＩＥＷを閲覧することにより、指定したｗｏｒｄファイルやｐｄｆファイルと同様の内容を閲覧することができる。
【００７４】
本明細書においては、ユーザが使用する機器について携帯電話１０を例に説明したが、本発明は、ＰＤＡやデジタルカメラ等の、Ｗｅｂ接続可能であるがｗｏｒｄファイルやｐｄｆファイルが閲覧不可能な機器に適用することができる。
【符号の説明】
【００７５】
１０…携帯電話、２０…イントラネット、２１…社内Ｗｅｂシステム、２２…文書管理ストレージ、２３…中継サーバ、２４…ドキュメント変換サーバ、２５…閲覧用画像管理ストレージ、３０…インターネット、３１…Ｗｅｂシステム、３２…文書管理ストレージ、１００…文書リンク変換システム、１１０…文書リンク変換サーバ
【図１】
0005554954.tif 000002
【図２】
0005554954.tif 000003
【図３】
0005554954.tif 000004
【図４】
0005554954.tif 000005
【図５】
0005554954.tif 000006